(57)【要約】【課題】吸引力の小さい電気掃除機においても集塵性能を低下させることもなく、また、強度上においても長期使用における信頼性を確保できる電気掃除機用接続パイプおよびそれを用いた電気掃除機を提供することを目的とするものである。【解決手段】軸方向に摺動自在に伸縮動作する第１の外管３３と第２の外管３９とを有し、前記各々の管体内には、吸気通路３６を備えた第１の内管３７と第２の内管４２とを設け、前記第１の内管３７および第２の内管４２を、軸方向に摺動自在に構成した電気掃除機用接続パイプ２４で、低風量であっても圧損を上げることなく風速を高くできるのでゴミつまりを防止することができる。【選択図】  図１
2004229994.tif 000002
【特許請求の範囲】
【請求項１】
軸方向に摺動自在に伸縮動作する第１の外管と第２の外管とを有し、前記各々の管体内には、電動送風機へ吸引される吸気通路を備えた第１の内管と第２の内管とを設け、前記第１の内管および第２の内管を、軸方向に摺動自在に構成した電気掃除機用接続パイプ。
【請求項２】
第１の外管と第２の外管を有し、前記各々の管体内には、電動送風機へ吸引される吸気通路を備えた第１の内管と第２の内管とを設け、前記第１の内管と前記第２の内管とが、軸方向にて接続可能に構成した電気掃除機用接続パイプ。
【請求項３】
電動送風機を内蔵する掃除機本体に接続するホースを備え、第１の外管と第２の外管のうち、径大側の外管に、前記ホースと接続する第１の接続部を設けた請求項１記載の電気掃除機用接続パイプ。
【請求項４】
第１の内管と第２の内管のうち、径大側の内管を、吸気の流側に配した請求項１記載の電気掃除機用接続パイプ。
【請求項５】
内管の断面形状を、直径１８ｍｍ〜２６ｍｍの略円形にした請求項１〜４のいずれか１項に記載の電気掃除機用接続パイプ。
【請求項６】
外管と内管の間に形成される空間に、導電体を配した請求項１〜５のいずれか１項に記載の電気掃除機用接続パイプ。
【請求項７】
導電体の少なくとも一部に、可とう性材料を有するフラットケーブルで構成した請求項６記載の電気掃除機用接続パイプ。
【請求項８】
第１の内管と第２の内管のうち、径大側の内管の摺動側先端にシール材を配した請求項１、３〜７のいずれか１項に記載の電気掃除機用接続パイプ。
【請求項９】
外管と内管の間に形成される空間にガイド体を配し、前記ガイド体で前記内管を保持する請求項１〜８のいずれか１項に記載の電気掃除機用接続パイプ。
【請求項１０】
第１の外管及び第２の外管の表面に、複数の被係止凹部と前記被係止凹部を係止する係止凸部から構成され、前記係止凸部による係止により軸方向の前記第１の外管及び第２の外管の移動を阻止して前記第１の外管と第２の外管との伸縮長さを保持する保持装置を備えた請求項１、３〜９のいずれか１項に記載の電気掃除機用接続パイプ。
【請求項１１】
第１の内管と第２の内管のうち、径小側の内管の摺動側先端かつ外管と内管の間に形成される空間に、軸方向の外方に拓く拡大部を設けた請求項１、３〜１０のいずれか１項に記載の電気掃除機用接続パイプ。
【請求項１２】
電動送風機を内蔵する掃除機本体と、前記電動送風機の吸気側に一端が連通する請求項１〜１１のいずれか１項に記載の電気掃除機用接続パイプと、前記電気掃除機用接続パイプの他端に接続する吸込具を有する電気掃除機。
【発明の詳細な説明】
【０００１】
【発明の属する技術分野】
本発明は、特に電気掃除機に用いる接続用パイプの構造に関するものである。
【０００２】
【従来の技術】
従来、この種の電気掃除機、なかでも特に充電式掃除機においては、二次電池を使用しているが、このために生じる吸引力不足を解消するため、内径が３５ｍｍ以下の接続用パイプを使用し、吸引風の流速を上昇させていた（例えば、特許文献１参照）。
【０００３】
【特許文献１】
特開２００１−３２１３０１号公報（請求項５）
【０００４】
【発明が解決しようとする課題】
しかしながら上記従来の接続用パイプでは、上記充電式掃除機において低風量域にて使用すると、風速が小さくなりすぎて吸気通路に塵埃が付着しやすくゴミつまりを発生しやすいという課題があった。
【０００５】
また、上記内径をさらに小さくしていくと、強度上弱くなり、長期使用における信頼性を確保しにくいという課題があった。また、強度を維持するために単に肉厚を増加するだけでは、成形性に課題があり、正規な設計寸法を維持するのは困難であった。
【０００６】
本発明は上記課題を解決するもので、吸引力の小さい電気掃除機においても集塵性能を低下させることもなく、また、強度上においても長期使用における信頼性を確保できる電気掃除機用接続パイプおよびそれを用いた電気掃除機を提供することを目的とするものである。
【０００７】
【課題を解決するための手段】
上記課題を解決するために本発明は、軸方向に摺動自在に伸縮動作する第１の外管と第２の外管とを有し、前記各々の管体内には、電動送風機へ吸引される吸気通路を備えた第１の内管と第２の内管とを設け、前記第１の内管および第２の内管を、軸方向に摺動自在に構成した電気掃除機用接続パイプで、低風量であっても圧損を上げることなく風速を高くできるのでゴミつまりを防止することができる。
【０００８】
また、内管が小さくても、外管にて包囲されているため、強度上の問題も解消でき、長期使用における信頼性を確保できる。さらに、軸方向に摺動自在であるため、使用性も向上できる。
【０００９】
【発明の実施の形態】
本発明の請求項１記載の発明は、軸方向に摺動自在に伸縮動作する第１の外管と第２の外管とを有し、前記各々の管体内には、電動送風機へ吸引される吸気通路を備えた第１の内管と第２の内管とを設け、前記第１の内管および第２の内管を、軸方向に摺動自在に構成した電気掃除機用接続パイプで、低風量であっても圧損を上げることなく風速を高くできるのでゴミつまりを防止することができる。
【００１０】
また、内管が小さくても、外管にて包囲されているため、強度上の問題も解消でき、長期使用における信頼性を確保できる。さらに、軸方向に摺動自在であるため、使用性も向上できる。
【００１１】
本発明の請求項２記載の発明は、第１の外管と第２の外管を有し、前記各々の管体内には、電動送風機へ吸引される吸気通路を備えた第１の内管と第２の内管とを設け、前記第１の内管と前記第２の内管とが、軸方向にて接続可能に構成した電気掃除機用接続パイプで、低風量であっても圧損を上げることなく風速を高くできるのでゴミつまりを防止することができる。
【００１２】
また、内管が小さくても、外管にて包囲されているため、強度上の問題も解消でき、長期使用における信頼性を確保できる。
【００１３】
本発明の請求項３記載の発明は、電動送風機を内蔵する掃除機本体に接続するホースを備え、第１の外管と第２の外管のうち、径大側の外管に、前記ホースと接続する第１の接続部を設けたもので、径大のため重量が大きい径大側の外管を、ホース側すなわち把手に近い側に配したことで、吸込具を接続した状態で把手にて持ち上げたり、また、接続パイプのみをホースに接続した状態で持ち上げたりする時に、手にかかる負担を小さくできるため、使用性を向上させることができる。
【００１４】
本発明の請求項４記載の発明は、第１の内管と第２の内管のうち、径大側の内管を、吸気の流側に配したもので、吸引された塵が径小内管から径大内管へ移る際に、逆段差がないため引っかかることがなく、又吸引気流が乱れることも少なくなるため吸引力のロスを低減することができる。
【００１５】
本発明の請求項５記載の発明は、内管の断面形状を、直径１８ｍｍ〜２６ｍｍの略円形にしたもので、低風量であっても、交流式の電気掃除機と同等の高い通気風速が得られるため、ゴミつまりを防止することができる。
【００１６】
本発明の請求項６記載の発明は、外管と内管の間に形成される空間に、導電体を配したもので、導電体は吸気通路から完全に分離された空間に配置されるので長期にわたる塵埃の付着等による導電体及び電気接続部の電気的信頼性の低下を防ぐことができる。
【００１７】
本発明の請求項７記載の発明は、導電体の少なくとも一部に、可とう性材料を有するフラットケーブルで構成したもので、導電体自身の長期使用における電気的・機械的信頼性が高まるものである。
【００１８】
本発明の請求項８記載の発明は、第１の内管と第２の内管のうち、径大側の内管の摺動側先端にシール材を配したもので、シール材の当接部の形状・寸法が径小内管の外周に合わせやすいので、気密を確実にすることができる。
【００１９】
本発明の請求項９記載の発明は、外管と内管の間に形成される空間にガイド体を配し、前記ガイド体で前記内管を保持するもので、軸直角方向の圧縮力に対する剛性を向上させ、変形を防止することができる。
【００２０】
本発明の請求項１０記載の発明は、第１の外管及び第２の外管の表面に、複数の被係止凹部と前記被係止凹部を係止する係止凸部から構成され、前記係止凸部による係止により軸方向の前記第１の外管及び第２の外管の移動を阻止して前記第１の外管と第２の外管との伸縮長さを保持する保持装置を備えたもので、互いに保持する時の力を外管のみで受けられるので、外管のみに剛性を持たせることによって内管を薄肉化でき軽量化がはかれるものである。
【００２１】
本発明の請求項１１記載の発明は、第１の内管と第２の内管のうち、径小側の内管の摺動側先端かつ外管と内管の間に形成される空間に、軸方向の外方に拓く拡大部を設けたもので、径小内管が径大内管の内部を摺動する際の隙間を確保すると同時に、径大管内の塵埃を掻き落とし、ゴミの噛み込みを防止できる。
【００２２】
本発明の請求項１２記載の発明は、電動送風機を内蔵する掃除機本体と、前記電動送風機の吸気側に一端が連通する請求項１〜請求項１１のいずれか１項に記載の電気掃除機用接続パイプと、前記電気掃除機用接続パイプの他端に接続する吸込具を有する電気掃除機で、低風力でも接続パイプ内でのゴミつまりが無く、高い吸塵性能を備えた電気掃除機を得ることができる。
【００２３】
【実施例】
以下、本発明の一実施例について、図面を参照しながら説明する。
【００２４】
電気掃除機の全体構成についてを図８を用いて説明する。
【００２５】
電気掃除機は、充電電池（図示せず）及び電動送風機（図示せず）を内蔵し集塵室（図示せず）を有する本体２０と、前記本体２０の接続口２１に、一端に設けた接続管２２で接続し他端側に設けた握り管２３に電気掃除機用接続パイプ２４を接続したホース体２５と、電気掃除機用接続パイプ２４に接続した握り管２３の他端側に接続され、駆動モータ２６により駆動され塵埃を掻き上げる回転ブラシ２７を内蔵した吸込具２８からなる充電式の床移動型電気掃除機である。
【００２６】
次に、本発明の電気掃除機用接続パイプ２４について図１〜図７に基づいて説明する。
【００２７】
電気掃除機用接続パイプ２４は互いに軸方向に摺動する第１の管体３０及び第２の管体３１からなり、第１の管体３０はホース体２５との第１の接続部３２を備え外郭を形成する径大の第１の外管３３と、この第１の外管３３の内筒部Ａ３４にパッキンＡ３５を当接させて挿入して固定した吸気通路３６を形成する径大の第１の内管３７から構成している。又第２の管体３１は吸込具２８との第２の接続部３８を備え、外郭を形成する径小の第２の外管３９とこの第２の外管３９の内筒部Ｂ４０にパッキンＢ４１を当接させ挿入して固定した吸気通路３６を形成する径小の第２の内管４２から構成している。前記第２の外管３９は第１の外管３３の中に入り込み、第２の内管４２は第１の内管３７の中に入り込んで互いに軸方向に摺動し伸縮自在にできるよう構成してある。
【００２８】
径大、径小の第１の外管３３、Ｂ３９は第１の接続部３２及び第２の接続部３８を一体的に形成した射出成形により製作された合成樹脂製のパイプ体であり、各々ホース体２５と吸込部２８に接続して互いを結合して使用する時に発生する外的応力に耐える剛性及び強度を備えるべく断面の大きさ・形状及び肉厚、材質を選定して構成している。断面の概略の大きさとしては内径直径が３０ｍｍ〜４５ｍｍで肉厚は約２．０ｍｍのＡＢＳ材で構成されている。断面の大きさをこれ以上小さくすると肉厚を増しても断面係数が小さくなり曲げに対する強度を確保することが困難になる。一方径大、径小の第１の内管３７、Ｂ４２は押し出し成形により製作した肉厚０．５ｍｍ〜１．０ｍｍ、内径１８ｍｍ〜２６ｍｍの断面略円形の合成樹脂製パイプである。
【００２９】
次に上記構成による動作、作用について説明する。
【００３０】
本実施例の電気掃除機用接続パイプ２４は、２重構成で吸気通路内径を小さくしその断面積を１重構成の場合に比べて１／２〜１／３にしてあるので、使用時の風量が通常約１ｍ３／ｍｉｎ以下の風量しかなく一般交流式電気掃除機（通常約２ｍ３／ｍｉｎ）と比較して低風量のコードレスタイプの電気掃除機の接続パイプとして使用しても、風速が低下することがなく吸気通路で塵埃をつまらせるずに重量の大きいごみも吸引することができる。同時に外郭を形成する外管のみで強度を確保することができるので、内管を風量に合わせて最適な寸法に設計することができる。
【００３１】
そして本実施例では径大の第１の外管３３にホース体２５との第１の接続部３２を設けているので、径大のため重量が大きくなる第１の管体３０をホース体２５側すなわち手元側に配すことになり、電気掃除機用接続パイプ２４のみを接続した状態で持ち上げたり、前記電気掃除機用接続パイプ２４に吸込具２８を接続した状態で持ち上げたりする時に、使用者の手にかかる負荷を小さくできるので使用性を向上させることができる。
【００３２】
さらに径大の第１の内管３７を手元側すなわち吸気の下流側に配してあるので、吸引された塵埃が吸気通路３６を通過する時に逆段差がなく引っかかることがないと同時に、通気抵抗を増大させず圧損を小さくできるので低風量型の電気掃除機に使用するとより吸引性能上の効果が大きいものである。又、径小の第２の内管４２の肉厚と第２の内管４２の外周と第１の内管３７の内周との隙間を最小にすることによって吸気通路３６内の通気段差を最小にすることで一層通気圧損を低減できるものである。
【００３３】
また、電気掃除機用接続パイプ２４は、径大の第１の外管３３の第１の接続部３２と反対側端部に拡管部４３を設け径小の第２の外管３９を摺動保持する内周部４４を有する保持体４５を挿入して固定してある。径大の第１の内管３７には図４に示す断面を有する支持体４６を一体的に取り付けてあり、この支持体４６の端部に設けた凹溝部４７に第１の外管３３にネジ４８で固定された蓋体４９に設けた係止リブ５０をかん合させて第１の内管３７を第１の外管３３に位置決め・固定してある。
【００３４】
径小の第２の外管３９は第２の接続部３８と反対側端部に内側で径大の第１の内管３７を摺動保持するガイド体５１を圧入してある。又第２の外管３９の下面には被係止凹部５２が複数形成してあり、この被係止凹部５２にかん合する係止凸部５３を有しバネ体５４で上方に附勢された係止体５５が、保持体４５に前後には位置規制され上下に摺動自在に取り付けられている。そして係止体５５をバネ体５４に抗して押し下げることで係止凸部５３を被係止凹部５２から解除して第２の外管３９を第１の外管３３に対して軸方向に任意量だけ変位させた後、係止体５５をはなすとバネ体５４の力で被係止凹部５２に係止凸部５３がかん合し第２の外管３９の第１の外管３３に対する位置を規制することができるものである。
【００３５】
５６はバネ体５７で附勢され吸込具２８に設けた図示しない係合部に係合する尾錠であり、５８は上記吸込具２８の端面に当接し気密にするパッキン体である。又５９は本体２０に設けた図示しない引っ掛け部に引っ掛けて収納するための引っ掛け体である。
【００３６】
上記径大の第１の外管３３と径大の第１の内管３７との間の空間には可とう性を有するフラットケーブル６０が、支持体４６に取り付けたコネクターＡ６１とガイド体５１に取り付けたコネクターＢ６２との間をつないで折り曲げて配設してあり、コネクターＡ６１と第１の接続部３２に配設した接続端子６３との間をリード線６４でつなぎ、コネクターＢ６２と第２の接続部３８の上方に配設し吸込具２８の駆動モータ２６に給電する接続端子（図示せず）との間をリード線６５でつないで導電体を構成している。
【００３７】
そして図５に示すように径大の第１の内管３７の先端には、弾性を有し耐磨耗性の合成ゴムからなり、径小の第２の内管４２の外周に圧接するリップ部６６と第１の内管３７の外周に圧入寸法に設定したかん合部６７を備えた気密パッキン６８が、第１の内管３７の外周に圧入して取り付けてあり、第１の内管３７と第２の内管４２との間の気密を確保している。
【００３８】
さらに図６に示すように径小の第２の内管４２の後端には、第２の内管４２の外径より大きく第１の内管３７の内周に接する拡大部６９を形成して、摺動時に第２の内管４２を第１の内管３７の内部で約０．５〜１．０ｍｍの均一な隙間を確保して保持している。
【００３９】
次に上記構成による動作、作用について説明する。
【００４０】
本実施例では可とう性を有するフラットケーブル６０とリード線６４及び６５からなる導電体を径大の第１の外管３３と第１の内管３７の間及び径小の第２の外管３９と内管４２との間の空間に配設してあるので、導電体は吸気通路３６から完全に分離され電気接続部への塵埃の付着等がなく、長期にわたって電気的信頼性を確保することができる。又屈曲部にフラットケーブル６０を採用しているので機械的信頼性も高められるものである。
【００４１】
そして、シール材である気密パッキン６８が、第１の内管３７の外周に圧入して取り付けてあるので取り付けによる変形が発生しにくく、又径小の第２の内管４２の外周に圧接するリップ部６６の断面は略円形で精度良く製作が容易であるので、第１の内管３７と第２の内管４２との間の気密を確実にすることができる。
【００４２】
さらに、径小の第２の外管３９は第２の接続部３８と反対側端部に内側で径大の第１の内管３７を摺動保持するガイド体５１を圧入かん合させているので端部の肉厚を増加させる効果により、最大長に伸ばした状態で第１の管体３０と第２の管体３１の結合部を押さえられたときに第２の外管３９の後ろ端部に生じる軸直角方向の圧縮力に対する剛性を向上させ、変形を防止することができる。
【００４３】
そして、径大の第１の外管３３の第１の接続部３２と反対側端部に保持体４５を挿入して固定し、第２の外管３９の下面には被係止凹部５２が複数形成すると同時にこの被係止凹部５２にかん合する係止凸部５３を有する係止体５５が、保持体４５に前後に位置規制され取り付けられている。そして、第１、第２の管体３０、３１を伸縮自在に任意の位置で保持することができると同時に、互いに保持する時の力を各々第１の外管３３、第２の外管３９のみで受けられるので、外管のみに剛性を持たせることによって内管の内径を風量に合わせて径小に設定できるとともに薄肉化して軽量化をはかれるものである。
【００４４】
そして径小の第２の内管４２の後端に、第２の内管４２の外径より大きく第１の内管３７の内周に接する拡大部６９を形成して、摺動時に第２の内管４２を第１の内管３７の内部で約０．５〜１．０ｍｍの均一な隙間を確保して保持しているので、摺動時の操作抵抗を小さくすると同時に、径大管内の塵埃を掻き落としてゴミの噛み込みを防止できる。
【００４５】
さらに、電気掃除機用接続パイプ２４は導電体を備えているので、駆動モータ２６により駆動される回転ブラシ２７を内蔵した吸込具２８に接続して使用することができ、低風力でも回転ブラシのかき上げ力によって高い吸塵性能を備えた電気掃除機を得ることができるものである。
【００４６】
なお、本実施例においては、軸方向に伸縮自在の電気掃除機用接続パイプ２４について述べたが、伸縮自在の構成でなくにも、単に第１の管体３０及び第２の管体３１を接続するだけの構成でも同様の効果を発揮できる。
【００４７】
【発明の効果】
本発明によれば、吸引力の小さい電気掃除機においても集塵性能を低下させることもなく、また、強度上においても長期使用における信頼性を確保できる電気掃除機用接続パイプおよびそれを用いた電気掃除機を提供できる。
【図面の簡単な説明】
【図１】本発明の一実施例を示す電気掃除機用接続パイプの全体構成を示す中央断面図
【図２】同径小外管側の中央拡大断面図
【図３】同径大外管側の中央拡大断面図
【図４】図３のＡ−Ａ断面図
【図５】図２におけるＢ部拡大図
【図６】図３におけるＣ部拡大図
【図７】同電気掃除機用接続パイプの全体構成を示す外観図
【図８】同電気掃除機の外観図
【符号の説明】
２０  本体
２４  電気掃除機用接続パイプ
３０  第１の管体
３１  第２の管体
３２  第１の接続部
３３  第１の外管
３６  吸気通路
３７  第１の内管
３８  第２の接続部
３９  第２の外管
４２  第２の内管
【図１】
2004229994.tif 000003
【図２】
2004229994.tif 000004
【図３】
2004229994.tif 000005
【図４】
2004229994.tif 000006
【図５】
2004229994.tif 000007
【図６】
2004229994.tif 000008
【図７】
2004229994.tif 000009
【図８】
2004229994.tif 000010